(57)【要約】【課題】フィルター断面が変形していても効率的に表面に堆積した塵埃を除去できるダクトボックスを備えた空気調和機を提供することを目的とする。【解決手段】上下に分割された上部ボックス１１ａと下部ボックス１１ｂとからなるダストボックス１１に、底面壁の後端側から順次、基台と、同基台に植設されたブラシと、同基台を支持するとともに上方に付勢するスプリング１４ａとからなる第一ブラシ１４と、同様の構成によりスプリング１５ａにより支持される第二ブラシ１５と、スプリング１６ａにより支持される第三ブラシ１６と、スプリング１８ａにより支持される第四ブラシ１８とを夫々ブラシ高さが異なるように設けるとともに、上部ボックス１１ａにも同様にして高さの異なるブラシを配設する。【選択図】  図３
2004352068.tif 000002
【特許請求の範囲】
【請求項１】
吸込口と吹出口とを備えた本体内に熱交換器と送風ファンとを設け、前記吸込口の裏面に前後摺動自在にフィルターを設けるとともに、同フィルターが通過する通過口を備える一方、その内部に相対向するように除塵用ブラシを設けたダストボックスとからなる空気調和機において、
前記ブラシを前記フィルターが通過する方向に沿って複数配設する一方、夫々のブラシの高さ位置を変えてなるようにしたことを特徴とする空気調和機。
【請求項２】
前記ブラシが前記ダストボックスの内壁面に取付けられたスプリングにより支持されてなることを特徴とする請求項１に記載の空気調和機。
【請求項３】
前記ダストボックスが上下に分割された上部ボックスと下部ボックスとからなり、後端と前端とにスリット状の前記通過口を夫々形成してなることを特徴とする請求項１に記載の空気調和機。
【発明の詳細な説明】
【０００１】
【発明の属する技術分野】
本発明は、フィルターを清掃するダストボックスを備えた空気調和機に関わり、より詳細にはダストボックス内でブラシの接触圧を均等にした構成に関する。
【０００２】
【従来の技術】
従来の空気調和機も基本的な構成は本願と同一であるので、図２を用いて説明する。図２で示す空気調和機は、ベース１と下部パネル２と上部パネル３とで本体を構成し、同本体の上面に吸込口４を設けるとともに、下面前部に風向偏向板５ａを備えた吹出口５を設けている。前記吸込口４と前記吹出口５とを結ぶ空気通路には後方に傾斜した前部熱交換器６ａと前方に傾斜した後部熱交換器６ｂとからなり逆Ｖ字状に形成された熱交換器６と、同熱交換器６により熱交換された空気を室内に送出する送風ファン７とが設けられている。
【０００３】
前記吸込口４の裏面には、枠部と網部とを樹脂材により一体に形成され、吸込まれた空気に含有される塵埃を補集、吸着すフィルター１０が装着され、本体の内部前方には前記フィルター１０が通過する通過口を前後に備えたダストボックスが設けられている。
【０００４】
前記ダストボックス３０は、図５（Ａ）で示すように、後端側に通過口３０ａを、前端側に通過口３０ｂを開口し、内部に上下一対にブラシ３１とブラシ３２とを備えている。前記ブラシ３１はスプリング３１ａにより上方に押圧され、前記ブラシ３２はスプリング３２ａにより下方に押圧されるようになっており、フィルター１０はこれらに挟圧されながら通過することにより、表面に堆積した塵埃をかき採られるようになっている。
【０００５】
しかしながら、前記フィルター１０は薄肉の樹脂材により枠部と網部とを一体に形成するため、射出成型時における樹脂材の収縮歪みが残存する場合があり、図５（Ｂ）で示すように、前記フィルター１０の断面が波形状に変形したり、あるいは複数の起伏を生じる場合がある。このような場合、前記ブラシ３１あるいは前記ブラシ３２のいずれかが前記フィルター１０に非接触となったり、あるいは接触圧が弱くなり、表面に堆積した塵埃を適切に清掃できなくなるというような不具合が生じる虞があった。
【０００６】
【発明が解決しようとする課題】
本発明は上記問題点に鑑み、射出成型時の収縮歪みが残存してフィルターが波形状に変形したとしても、ダクトボックスに設けられたブラシが適切に表面に堆積した塵埃を〓採れるようにして集塵効率を向上させた空気調和機を提供することを目的とする。
【０００７】
【課題を解決するための手段】
本発明は上記課題を解決するため、吸込口と吹出口とを備えた本体内に熱交換器と送風ファンとを設け、前記吸込口の裏面に前後摺動自在にフィルターを設けるとともに、同フィルターが通過する通過口を備える一方、その内部に相対向するように除塵用ブラシを設けたダストボックスとからなる空気調和機において、前記ブラシを前記フィルターが通過する方向に沿って複数配設する一方、夫々のブラシの高さ位置を変えてなるようにした構成となっている。
【０００８】
また、前記ブラシが前記ダストボックスの内壁面に取付けられたスプリングにより支持されてなる構成となっている。
【０００９】
また、前記ダストボックスが上下に分割された上部ボックスと下部ボックスとからなり、後端と前端とにスリット状の前記通過口を夫々形成してなる構成となっている。
【００１０】
【発明の実施の形態】
以下、本発明の実施の形態を、添付図面に基づいた実施例として詳細に説明する。
図１は本発明による空気調和機がフィルターを前面に引き出した状態を示す斜視図であり、図２は本体の断面図である。図３はダクトボックスの断面図であり図４はフィルターが同ダクトボックスを通過する状態を示す断面図である。
本発明による空気調和機は、図１及び図２で示すように、壁面に据付けられるベース１と、同ベース１の上面前部に装着され前端から後端近傍に至り吸込口４を形成した上部パネル３と、下面前部に装着され複数の風向偏向板５ａを備える吹出口５を形成した下部パネル２とで本体を構成している。
【００１１】
前記吸込口４と前記吹出口５とを結ぶ空気通路には後方に傾斜した前部熱交換器６ａと前方に傾斜した後部熱交換器６ｂとからなり逆Ｖ字状に形成された熱交換器６と、同熱交換器６により熱交換された空気を室内に送出する送風ファン７とが設けられ、又前記前部熱交換器６ａと前記後部熱交換器６ｂの下方には、これらから滴下する凝縮水を受ける露受皿８が設けられている。
【００１２】
前記吸込口４の裏面には、枠部と網部とを樹脂材により一体に形成したフィルター１０が装着され、又本体の前縁には同フィルター１０が挿脱自在となるようにスリット状の挿脱口９が下方に向けて開口されている。本体内には同挿脱口９に臨むように前記フィルター１０が通過する通過口を前後に備え、その表面に堆積した塵埃をかき採ることにより清掃を行うダストボックス１１が設けられるとともに、その下部には前記フィルター１０を前後に駆動する駆動装置１２が設けられている。
【００１３】
前記ダストボックス１１は、図３で示すように、上下に分割された上部ボックス１１ａと下部ボックス１１ｂとからなり、後端側にスリット状の後部通過口１１ｃが、前端側に同様にスリット状の前部通過口１１ｄが形成されている。前記下部ボックスには、底面壁の後端側から順次、基台と、同基台に植設されたブラシと、同基台を支持するとともに上方に付勢するスプリング１４ａとからなる第一ブラシ１４と、同様の構成によりスプリング１５ａにより支持される第二ブラシ１５と、スプリング１６ａにより支持される第三ブラシ１６と、スプリング１８ａにより支持される第四ブラシ１８とが設けられており、ブラシ高さには夫々高低差が設けられている。
【００１４】
前記上部ボックス１１ａの内壁面には、前記第三ブラシ１６に対応するように、基台と、同基台に植設されたブラシと、同基台を支持するとともに下方に付勢するスプリング１７ａとからなる第五ブラシ１７と、前記第四ブラシ１８に対応するようにスプリング１９ａに支持された第六ブラシ１９が設けられている。
【００１５】
前記下部ボックス１１ｂに設けられた前記第一ブラシ１４の高さは、他のブラシの高さより最も低くなるように設定され、次に、前記第二ブラシ１５が高くなるように設定されている。前記第三ブラシ１６は他のブラシより最も高くなるように設定され、前記第四ブラシ１８の高さは、第二ブラシ１５と第三ブラシ１６との中間となるように設定されている。前記上部ボックス１１ａに設けられた第五ブラシ１７は前記第六ブラシ１９に比較して、前記上部ボックス１１ａの内壁面からの高さが低くなるように設定されている。
【００１６】
前記駆動装置１２は、上面が開放された方形状の筐体１２ａと、同筐体１２ａ内に収納された駆動部とからなり、同駆動部は前記筐体１２ａ内に固定され回転軸にピニオン歯車２２を嵌着した駆動モータ２３と、前記ピニオン歯車２２に歯合する大径の第一歯車２１と、同第一歯車２１に歯合するとともに、前記フィルター１０の裏面に形成された直線状のラックと歯合する小径の第二歯車２０とから構成されている。
【００１７】
次に、動作について説明する。前記フィルター１０に堆積した塵埃を清掃する際は、前記駆動装置１２により前記フィルター１０を摺動させて前記挿脱口１０ａから本体の前面側に引き出す。図４で示すように、前記後部通過口１１ｃから前記前部通過口１１ｄに向かって移動する前記フィルター１０断面が波形状に変形していたとしても、夫々高さの異なるブラシのいずれかに前記フィルター１０の表面が接触し、又接触する面圧が異なることより、表面に堆積した塵埃を効率的にかき採るようになっており清掃性の向上をはかれるようになっている。また、これにより前記フィルター１０がたとえ変形していなくても接触圧の均等化をはかることにより清掃効率を向上させることができるようになっている。清掃が完了したら前記駆動装置１２により前記フィルター１０を再び本体内に収納する。
【００１８】
【発明の効果】
以上説明したように、本発明によると、ダストボックス内に高さの異なるブラシを順次前後して配設することにより、フィルター断面が波形状に変形していたとしても、夫々高さの異なるブラシのいずれかにフィルターの表面が接触し、又接触する面圧が異なることより、表面に堆積した塵埃を効率的に〓採るようになっている。又フィルターが変形していなくても接触する面圧の差により清掃効率を向上させる空気調和機とすることができるようになっている。
【図面の簡単な説明】
【図１】本発明による空気調和機の斜視図である。
【図２】本発明による空気調和機の断面図である。
【図３】本発明による空気調和機に設けられたダクトボックスの断面図である。
【図４】フィルターが清掃される状態を示す断面図である。
【図５】（Ａ）は従来のダクトボックスを示す断面図である。
（Ｂ）はフィルターが清掃される状態を示す断面図である。
【符号の説明】
１  ベース
２  下部パネル
３  上部パネル
４  吸込口
５  吹出口
５ａ  風向偏向板
６  熱交換器
６ａ  前部熱交換器
６ｂ  後部熱交換器
７  送風ファン
８  露受皿
９  挿脱口
１０  フィルター
１０ａ  把手
１１  ダクトボックス
１１ａ  上部ボックス
１１ｂ  下部ボックス
１２  駆動装置
１３  接続具
１４  第一ブラシ
１４ａ  スプリング
１５  第二ブラシ
１５ａ  スプリング
１６  第三ブラシ
１６ａ  スプリング
１７  第五ブラシ
１７ａ  スプリング
１８  第四ブラシ
１８ａ  スプリング
１９  第六ブラシ
１９ａ  スプリング
２０  第一歯車
２１  第二歯車
２２  ピニオン歯車
２３  駆動モータ
【図１】
2004352068.tif 000003
【図２】
2004352068.tif 000004
【図３】
2004352068.tif 000005
【図４】
2004352068.tif 000006
【図５】
2004352068.tif 000007